【事件の表示】
　特願２００９−５０２６８４「マルチメディアコンテンツを消費する装置および方法」拒絶査定不服審判事件〔平成１９年１０月１１日国際公開、ＷＯ２００７／１１４５９５、平成２１年　９月１０日国内公表、特表２００９−５３２９２９〕について、次のとおり審決する。
【結　論】
　本件審判の請求は、成り立たない。
【理　由】
第１　手続の経緯
１　手続の経緯
　本願は、２００７年（平成１９年）３月３０日（パリ条約による優先権主張外国庁受理２００６年３月３０日、韓国）を国際出願日とする出願であって、平成２１年１月２７日付けで手続補正がなされ、平成２３年１１月１０日付けで拒絶理由が通知され、平成２４年２月１５日付けで意見書が提出され、同日付で手続補正がなされたが、平成２４年６月１５日付け（発送日同年６月２２日）で拒絶査定がなされたものである。
　本件は、本願についてなされた上記拒絶査定を不服として平成２４年１０月２２日付けで請求された拒絶査定不服審判請求であって、同時に手続補正がなされたものである。 
　そして、前置審査において、平成２５年１月１１日付けで最後の拒絶理由が通知されが、意見書は提出されず、平成２５年６月１４日付けで前置報告され、平成２５年８月６日付けで審判長から審尋されたが、回答書は提出されなかった。
　　
２　拒絶査定の概要
　この出願の請求項１−１７に係る発明は、その出願前に日本国内又は外国において、頒布された下記の刊行物に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　　記
　　刊行物１　特開２００５−１６００４１号公報
　　刊行物２　国際公開第２００３／８１４４９号
　　
３　平成２５年１月１１日付け最後の拒絶理由の概要
　この出願は、特許請求の範囲の記載が下記の点で、特許法第３６条第６項第１，２号に規定する要件を満たしていない。
　　　　　　　　　　　　　　　　　記
　平成２４年１０月２２日付け手続補正された請求項１，６，１０，１５における「（ライセンス条件を解析して生成され、制御機能を設定する）制御信号」が不明である。
　　
第２　本願発明
　本願の請求項１〜１７に係る発明は、平成２１年１月２７日付け手続補正、平成２４年２月１５日付け手続補正及び平成２４年１０月２２日付け手続補正により補正された特許請求の範囲、明細書及び図面の記載からみて、その特許請求の範囲の請求項１〜１７に記載された事項によって特定されるものであるところ、その請求項１０に係る発明（以下「本願発明」という。）は次のとおりのものと認められる。 
　　
「マルチメディアコンテンツを消費する方法であって、
　ａ）マルチメディアコンテンツと、前記マルチメディアコンテンツに対する部分回避を禁止する条件を表示するライセンスデータとを、有線または無線通信ネットワークを介して受信するステップと、
　ｂ）前記マルチメディアコンテンツに対するライセンス条件を解析し、部分回避を制御するための制御信号を生成するステップと、
　ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップと
　を含むことを特徴とする方法。」
　　
第３　刊行物の記載
　原査定における拒絶の理由に引用された特開２００５−１６００４１号公報（以下「刊行物１」という。）には、図面と共に次に掲げる事項が記載されている。
　　
〈技術分野〉
「【０００１】
　本発明は、放送網やＩＰ網の伝送路を用いてコンテンツを配信するコンテンツ配信サーバおよびコンテンツ配信サーバから配信されたコンテンツの再生を制御するコンテンツ再生制御端末に関する。」
　　
〈背景技術〉
「【０００２】
　従来のデジタルコンテンツ配信システムとしては、ＤＲＭ（Ｄｉｇｉｔａｌ　Ｒｉｇｈｔｓ　Ｍａｎａｇｅｍｅｎｔ）技術を利用したものがある（特許文献１参照）。ＤＲＭ技術は、配信コンテンツに対して、再生回数、移動、複製などの利用制限を設定することができる。
　【０００３】
　また、従来のデジタルコンテンツ配信システムとしては、ＴＶ−Ａｎｙｔｉｍｅ　ｆｏｒｕｍで規定されたメタデータを用いたものがある。ＴＶ−Ａｎｙｔｉｍｅ　ｆｏｒｕｍで規定されている方法は、セグメンテーションメタデータにより、コンテンツの特定区間の内容（例えば、ＣＭ、野球の一回表、サッカーの前半戦など）を記述するものである。
　【０００４】
　近年、ＰＶＲ（Ｐｅｒｓｏｎａｌ　Ｖｉｄｅｏ　Ｒｅｃｏｒｄｅｒ）に搭載されているＨＤＤの大容量化と自動録画機能により、見たい番組を自動的に録画して視聴することが可能となった。しかし、録画視聴では、３０秒スキップや早送り、指定時間へのジャンプなどの特殊再生が自由に行えるため、ＣＭを飛ばして視聴される場合が多く、現状のリアルタイム放送におけるＣＭビジネスモデルが成り立たなくなりつつある。
　【０００５】
　また、ＩＰ網を経由してダウンロードするコンテンツに放送のようなＣＭビジネスモデルを適用したくとも、再生プレーヤーで自由に特殊再生が行われてしまうため、実現が難しい。しかしながら、これらの課題を解決するにあたって、従来のＤＲＭ技術ではコンテンツの再生回数を制限することはできても、特殊再生等の再生方法を制限する仕組みがない。また、セグメンテーションメタデータによって番組の特定区間をＣＭ区間であると記述することは可能であったが、その区間に対してだけ特殊再生等を制限する仕組みがない。
　【特許文献１】特開２００２−３４２５１８号公報」
　　
〈発明が解決しようとする課題〉
「【０００６】
　しかし、上記の従来の技術では、放送事業者側の意図とした再生制御が番組の特定区間毎に制限する仕組みがないという課題を有していた。
　【０００７】
　本発明は、かかる点に鑑みてなされたものであり、コンテンツの特定区間毎の再生形態を制限することを可能にすることを目的とする。」
　　
〈発明の効果〉
「【０００９】
　本発明によれば、再生制御情報に基づいて、コンテンツの特定区間の再生を制限することができる。」
　　
〈実施の形態〉
「【００５４】
　（実施の形態１）
　図１は本発明の実施の形態１にかかるコンテンツ再生制御システムの構成を示すブロック図である。図１において、コンテンツ再生制御システムは、暗号化コンテンツとライセンス情報、再生制御情報の送出装置としてのコンテンツ配信サーバ（以下、サーバ）１００と、コンテンツ再生制御端末（以下、端末）１１０とが、放送網やＩＰ網などの伝送路１２０を介して接続された構成を採る。」
　　
《サーバ》
「【００５５】
　サーバ１００は、暗号化コンテンツ、ライセンス情報、再生制御情報を生成し、放送網やＩＰ網等の伝送路１２０を通じて端末１１０に送出する装置である。
　【００５６】
　サーバ１００には、コンテンツ暗号化部１０１、ライセンス情報生成部１０２、再生制御情報生成部１０３、通信部１０４、入力部１０５、コンテンツ蓄積部１０６、およびコンテンツ鍵蓄積部１０７を有している。
　【００５７】
　ただし、実施の形態１におけるサーバ１００は構成の一例であり、ライセンス情報生成部１０２、再生制御情報生成部１０３、コンテンツ蓄積部１０６、コンテンツ鍵蓄積部１０７は各々別のサーバであってもよい。実際には、再生制御情報を、コンテンツ制作業者が制作する場合や、コンテンツ配信業者が制作する場合や、再生制御情報のみを制作する業者が存在する場合などのパターンが考えられる。このため、それぞれの場合に合わせて再生制御情報生成部１０３が存在するサーバも異なってくる。
　【００５８】
　再生制御情報生成部１０３は、コンテンツ蓄積部１０６に蓄積されたコンテンツの制御情報、つまりコンテンツの再生形態を制限する情報を入力部１０５から入力する。また、再生制御情報生成部１０３は、コンテンツ蓄積部１０６に蓄積されたコンテンツを入力し、コンテンツの区間情報を解析する。そして、再生制御情報生成部１０３は、解析した区間情報と、入力部１０５から入力された制御情報を対応付けて、コンテンツの再生方法を制御するための再生制御情報を生成する。」
　　
「【００６０】
　ライセンス情報生成部１０２は、コンテンツ鍵蓄積部１０７に蓄積された、コンテンツを暗号化するためのコンテンツ鍵と、再生制御情報に基づく再生のみを許可するためのコンテンツ鍵の利用条件と、を含むライセンス情報を生成する。
　【００６１】
　コンテンツ暗号化部１０１は、ライセンス情報生成部１０２にて生成されたライセンス情報に含まれるコンテンツ鍵を用いてコンテンツを暗号化し、通信部１０４に送る。
　【００６２】
　通信部１０４は、端末１１０とデータの送受信を行う手段であり、放送網やＩＰ網などの伝送路１２０を通じて暗号化コンテンツを端末１１０に送信する。」
　　
《端末》
「【００６４】
　端末１１０は、放送網やＩＰ網の伝送路１２０を通じて、サーバ１００から、暗号化コンテンツ、ライセンス情報、再生制御情報を受信し、ライセンス情報の利用条件にて再生制御情報による再生が許可されている場合、再生制御情報に基づいてコンテンツを再生する装置である。
　【００６５】
　端末１１０は、通信部１１１、コンテンツ記録部１１２、ライセンス情報記録部１１３、再生制御情報記録部１１４、コンテンツ復号部１１５、ライセンス情報処理部１１６、再生制御情報処理部１１７、および操作部１１８を有している。
　【００６６】
　通信部１１１は、放送網やＩＰ網の伝送路１２０を通じて、サーバ１００からデータの受信を行う。
　【００６７】
　コンテンツ記録部１１２は、通信部１１１が受信、もしくは他の記録媒体から取得した暗号化コンテンツを記録するための記録媒体であり、具体的には、ＨＤＤやＤＶＤ−ＲＡＭ、ＳＤメモリカード、揮発性メモリ、不揮発性メモリ、ＩＣカード等である。これにより、暗号化コンテンツ利用前に予めサーバ１００から暗号化コンテンツを取得しておくことができる他、他の蓄積メディアを経由して暗号化コンテンツを取得することができる。
　【００６８】
　ライセンス情報記録部１１３は、通信部１１１が受信、もしくは他の記録媒体から取得したライセンス情報を記録するための記録媒体であり、具体的には、ＨＤＤやＤＶＤ−ＲＡＭ、揮発性メモリ、不揮発性メモリ、ＩＣカード、メモリカード等である。これによれば、ライセンス情報利用前に予めサーバ１００からライセンス情報を取得しておくことができる他、他の蓄積メディアを経由してライセンス情報を取得することができる。
　【００６９】
　再生制御情報記録部１１４は、通信部１１１が受信、もしくは他の記録媒体から取得した再生制御情報を記録するための記録媒体であり、具体的には、ＨＤＤやＤＶＤ−ＲＡＭ、ＳＤメモリカード、揮発性メモリ、不揮発性メモリ、ＩＣカード等である。これによれば、再生制御情報利用前に予めサーバ１００から再生制御情報を取得しておくことができる他、他の蓄積メディアを経由して再生制御情報を取得することができる。
　【００７０】
　コンテンツ復号部１１５は、コンテンツ記録部１１２に記録されている暗号化コンテンツを、ライセンス情報処理部１１６から渡されるコンテンツ鍵で復号し、出力端末１３０に送出する。
　【００７１】
　出力端末１３０は、コンテンツを出力する端末であり、画像を表示するモニタや音声を出力するスピーカなどからなる。
　【００７２】
　また、コンテンツ復号部１１５は、ライセンス情報の利用条件を遵守しなければならない。従って、コンテンツ復号部１１５は、利用条件にて「再生制御情報に基づく再生のみを許可する」ことのみが指定された場合、通常の再生は認められず、再生制御情報に従って再生処理を行う。
　【００７３】
　ライセンス情報処理部１１６は、ライセンス情報記録部１１３からコンテンツ鍵と利用条件を含むライセンス情報を取得し、利用条件を満たす場合のみコンテンツ復号部１１５にコンテンツ鍵を渡し、暗号化されたコンテンツの復号化を許可する。
　【００７４】
　ここで、利用条件には、ライセンス情報生成部１０２での説明の通り、従来のＤＲＭで設定可能な条件の他に、「再生制御情報に基づく再生のみを許可する」ことが追記される。また、ライセンス情報は、ＤＲＭ技術によって不正な複製・改竄から保護されている。
　【００７５】
　再生制御情報処理部１１７は、再生制御情報に基づいて、コンテンツ復号部１１５におけるコンテンツの再生を制御する。具体的には、再生制御情報処理部１１７は、再生制御情報に特定区間のひとつである例えばＣＭ区間のスキップ禁止が設定されている場合、ＣＭコンテンツ再生中に操作部１１８からのスキップ操作が行われても、再生制御情報処理部１１７はこれを拒否するようコンテンツ復号部１１５に指示する。
　【００７６】
　操作部１１８は、ユーザからのコンテンツ再生操作を受け付ける。具体的には、操作部１１８は、再生、停止、一時停止、巻き戻し、早送り、スキップ、ジャンプ、録画等の操作である。」
　　
《ライセンス情報》
「【００７８】
　次に、ライセンス情報について、図２を用いて説明する。図２は、ライセンス情報と再生制御情報、暗号化コンテンツの関係を示すイメージ図である。
　【００７９】
　図２に示すように、ライセンス情報２００は、コンテンツ暗号化部１０１が暗号化コンテンツ２０３を生成する際に用いたコンテンツ鍵２０１と、利用条件２０２から構成される。
　【００８０】
　利用条件２０２には、従来のＤＲＭで設定可能な再生回数、移動、複製などの利用制限条件などの他に、再生制御情報生成部１０３が生成した再生制御情報２０４に基づく再生のみを許可する旨の情報が追加されている。
　【００８１】
　これにより、端末１１０において、利用条件２０２を用いて、再生制御情報２０４に基づく再生が可能となる。また、ライセンス情報は、ＤＲＭ技術によって不正な複製・改竄から保護されている。」
　　
《再生制御情報》
「【００９０】
　次に、再生制御情報生成部１０３が生成する再生制御情報について、詳細に説明する。
　【００９１】
　再生制御情報は、ＸＭＬ（ｅＸｔｅｎｓｉｂｌｅ　Ｍａｒｋｕｐ　Ｌａｎｇｕａｇｅ）等で記述されている。再生制御情報には、セグメンテーションメタデータによって分割された特定区間に対して、スキップ禁止、早送り禁止、ジャンプなどの特殊再生に対して禁止等の制限情報が設定される。
　【００９２】
　次に、ＸＭＬで記述された再生制御情報について、説明する。まず、再生制御情報のスキーマについて図５を用いて説明する。図５は上記のような再生制御情報のスキーマ例を示す図である。
　【００９３】
　再生制御情報のスキーマは、従来のＴＶ−Ａｎｙｔｉｍｅ　Ｆｏｒｕｍで規定されているＳｅｇｍｅｎｔＧｒｏｕｐＩｎｆｏｒｍａｔｉｏｎを、再生制御を記述するＰｌａｙＣｏｎｔｒｏｌスキーマ５００にて拡張し、セグメント（特定区間）毎に再生制御情報を付与できるようにするものである。
　【００９４】
　ＰｌａｙＣｏｎｔｒｏｌスキーマ５００は、図中５０１に示すように、再生方法として、ｐｌａｙ（再生）、ｓｔｏｐ（停止）、ｐａｕｓｅ（一時停止）、ｆｏｒｗａｒｄ（早送り）、ｒｅｗｉｎｄ（巻き戻し）、ｓｋｉｐ（時間スキップ）、ｊｕｍｐ（指定時間へジャンプ）、ｒｅｃｏｒｄ（録画）、ｃｏｐｙ（コピー）を設定している。さらに、ＰｌａｙＣｏｎｔｒｏｌスキーマ５００は、図中５０２に示すように、５０１で示される再生方法それぞれに、ｔｒｕｅ（許可）／ｆａｌｓｅ（不許可）を設定している。
　【００９５】
　ただし、このスキーマは一例であり、さらに、再生時刻による制限や特殊再生回数による制限、セグメントの再生順序による制限など様々な設定が考えられる。なお、特殊再生とは、通常の再生（ｐｌａｙ）以外、つまりユーザがセグメントを詳細に見ないような再生方法を言う。
　【００９６】
　これらの事例としては、禁止されている特殊再生がコンテンツ復号部１１５にて実行されていた場合は、許可されている特殊再生に変更させるといった設定がある。
　【００９７】
　その他にも、複数のコンテンツもしくは区間の再生順序を設定し、設定された再生順序以外の再生を禁止するとか、特定のコンテンツもしくは区間の再生可能時間帯を設定し、設定された時間帯以外の再生を禁止するといった設定がある。」
　　
「【００９８】
　次に、再生制御情報の具体的な記述について、図６および図７を用いて説明する。図６、図７は、本実施の形態のコンテンツ再生制御システムにおける再生制御情報を記述したメタデータの一例を示す図である。
　【００９９】
　本実施の形態にかかる再生制御情報６０は、ＸＭＬを用いた階層化された構造化記述により記述されている。これにより、再生制御情報６０に汎用性を持たせることができる。
　【０１００】
　具体的には、再生制御情報６０には、複数の、コンテンツの区分を示すセグメント６００ａ〜６００ｃが記述されている。
　【０１０１】
　それぞれのセグメント（特定区間）６００ａ〜６００ｃには、タイトル６０１ａ〜６０１ｃと、説明６０２ａ〜６０２ｃと、セグメントの識別番号であるセグメントＩＤ６０３ａ〜６０３ｃと、用いる映像の識別子である映像ＩＤ６０４ａ〜６０４ｃと、セグメントの開始時間６０５ａ〜６０５ｃと、セグメントの長さ６０６ａ〜６０６ｃが記述されている。
　【０１０２】
　また、再生制御情報６０には、６０７に示すように、セグメント６００ａ〜６００ｃのまとめ方や再生形態の制限などからなる再生方法が記述されている。
　【０１０３】
　具体的には、再生方法６０７には、再生方法６０７のタイトル６０８と、再生方法６０７の説明６０９と、再生方法６０７の識別番号６１０と、使う映像の識別子６１５と、使用するセグメントのセグメントリスト６１１と、特定のセグメントに対する制限情報６１２と、が記述されている。
　【０１０４】
　セグメントリスト６１１には、使用するセグメントのＩＤが再生順に記述されている。これにより、端末１１０に、再生制御情報６０の発行者の意図した再生順でコンテンツの再生をさせることができる。
　【０１０５】
　また、制限情報６１２には、制御する対象セグメントのＩＤ６１３と、そのセグメントに対する制限（制御）方法６１４ａ〜６１４ｃが記述されている。
　【０１０６】
　具体的には、６１４ａで示される部分には＜Ｆｏｒｗａｒｄ＞（早送り）の禁止が記述され、６１４ｂで示される部分には＜Ｓｋｉｐ＞（時間スキップ）の禁止が記述され、６１４ｃで示される部分には＜Ｊｕｍｐ＞（指定時間へジャンプ）、つまりこのセグメントを再生せずに飛ばす再生方法の禁止が記述されている。これにより、コンテンツの特定区間（セグメント）を跨ぐ時間スキップ、指定時間へのジャンプが禁止される。具体的には、セグメント６００ｂ（ＣＭ区間）の早送りとスキップ、セグメント６００ｂ（ＣＭ区間）前からセグメント６００ｂ（ＣＭ区間）後へのジャンプが禁止される。
　【０１０７】
　このように、再生制御情報６０には、複数のセグメント６００ａ〜６００ｃと、これらのセグメント６００ａ〜６００ｃの再生に関する順序や再生の制限情報が記述されている。」
　　
《暗号化コンテンツとそのライセンス情報、再生制御情報の取得》
「【０１１０】
　次に、図１に示したコンテンツ再生制御システムにおいて、端末１１０がサーバ１００から暗号化コンテンツとそのライセンス情報、再生制御情報を取得するまでの動作について図８に示す処理フローを参照して説明する。
　【０１１１】
　まず、サーバ１００のライセンス情報生成部１０２が、コンテンツ鍵蓄積部１０７から、再生制御を行いたいコンテンツを暗号化するためのコンテンツ鍵Ｋｃ（以下、Ｋｃ）を抽出する。そして、ライセンス情報生成部１０２は、ＫｃおよびＫｃの利用条件を含むライセンス情報を生成する（ステップＳ１０１（以下、ステップＳを単にＳという））。ここで、ライセンス情報生成部１０２は、利用条件に「暗号化コンテンツは、再生制御情報に基づく再生のみを許可する」ことを記載する。
　【０１１２】
　次に、ライセンス情報生成部１０２は、通信部１０４を通じて、Ｓ１０１で生成したライセンス情報を端末１１０の通信部１１１に送信する（Ｓ１０２）。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法などがある。
　【０１１３】
　これに対して、端末１１０は、通信部１１１において、ライセンス情報を受信し、ライセンス情報記録部１１３に送る。次に、ライセンス情報記録部１１３は、通信部１１１を通じて取得したライセンス情報を記録媒体に記録する（Ｓ１０３）。
　【０１１４】
　次に、サーバ１００のライセンス情報生成部１０２が、Ｓ１０１にて生成したＫｃをコンテンツ暗号化部１０１に渡す（Ｓ１０４）。次に、コンテンツ暗号化部１０１は、コンテンツ蓄積部１０６からコンテンツを取得し、取得したコンテンツを、Ｓ１０４にて取得したＫｃで暗号化する（Ｓ１０５）。
　【０１１５】
　次に、コンテンツ暗号化部１０１は、Ｓ１０５にて暗号化したコンテンツ（暗号化コンテンツ）を、通信部１０４を通じて端末１１０の通信部１１１に送信する。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法などがある（Ｓ１０６）。
　【０１１６】
　これに対して、端末１１０は、通信部１１１において、暗号化コンテンツを受信し、コンテンツ記録部１１２に送る。次に、コンテンツ記録部１１２は、通信部１１１を通じて取得した暗号化コンテンツを暗号化したまま記録媒体に記録する（Ｓ１０７）。
　【０１１７】
　次に、サーバ１００の再生制御情報生成部１０３が、Ｓ１０５にて暗号化した暗号化コンテンツに対応する再生制御情報を生成する（Ｓ１０８）。
　【０１１８】
　そして、再生制御情報生成部１０３は、通信部１０４を通じて端末１１０の通信部１１１に再生制御情報を送信する（Ｓ１０９）。ここで、サーバ１００から端末１１０への通信方法としては、放送網を介して送出する方法、ＩＰ網を介してＩＰマルチキャストにて送信する方法、端末１１０からの要求に対してＩＰ網を介して送信する方法がある。
　【０１１９】
　これに対して、端末１１０は、通信部１１１において、再生制御情報を受信し、再生制御情報記録部１１４に送る。次に、再生制御情報記録部１１４は、通信部１１１を通じて取得した再生制御情報を記録媒体に記録する（Ｓ１１０）。
　【０１２０】
　以上の処理フローにより、端末１１０は、コンテンツ記録部１１２に暗号化コンテンツを、ライセンス情報記録部１１３に暗号化コンテンツを復号するためのＫｃとその利用条件を記載したコンテンツ情報を、再生制御情報記録部１１４に再生制御情報を記録する。」
　　
《ライセンス情報に従った暗号化コンテンツの復号化》
「【０１２３】
　次に、端末１１０がするまでの動作について、図９に示す処理フローを参照して説明する。
　【０１２４】
　ユーザが操作部１１８にコンテンツの再生を要求すると、これに対して、操作部１１８が再生要求を入力する（Ｓ２０１）。次に、操作部１１８は、コンテンツ復号部１１５に、コンテンツ再生を要求する（Ｓ２０２）。
　【０１２５】
　次に、コンテンツ復号部１１５は、ライセンス情報処理部１１６にコンテンツに対応するライセンス情報（Ｋｃと利用条件）を要求する（Ｓ２０３）。
　【０１２６】
　これに対して、ライセンス情報処理部１１６は、ライセンス情報記録部１１３からコンテンツに対応するライセンス情報を取得する（Ｓ２０４）。
　【０１２７】
　次に、ライセンス情報処理部１１６は、コンテンツ復号部１１５にライセンス情報を返す（Ｓ２０５）。ここでライセンス情報処理部１１６が出力するライセンス情報に含まれる利用条件には、「暗号化コンテンツは、再生制御情報に基づく再生のみを許可する」ことが記載されている。このように、利用条件にライセンス情報には、暗号化コンテンツは、再生制御情報に基づく再生のみを許可すると記述することにより、端末１１０は、必ず再生制御情報を用いて暗号化コンテンツを再生するようになる。
　【０１２８】
　これに対して、コンテンツ復号部１１５は、ライセンス情報を取得する。次に、コンテンツ復号部１１５は、取得したライセンス情報の利用条件に、「暗号化コンテンツは、再生制御情報に基づく再生のみを許可する」が記載されているので、再生制御情報処理部１１７に再生制御情報処理を要求する（Ｓ２０６）。
　【０１２９】
　これに対して、再生制御情報処理部１１７は、再生制御情報記録部１１４からコンテンツに対応する再生制御情報を取得する（Ｓ２０７）。
　【０１３０】
　ここで、例えば、図３に示すように、利用条件３０１および再生制御情報３０３のそれぞれに発行者識別情報３０２、３０４が付与されている場合には、再生制御情報処理部１１７は、利用条件に付与されている発行者識別情報３０２と同じ発行者識別情報３０４を持つ再生制御情報３０３を取得する。
　【０１３１】
　このように、再生制御情報の発行者を示す発行者識別情報３０２、３０４を用いることで、再生制御情報の発行者が発行した再生制御情報のみを用いるようになり、再生制御情報の発行者が意図した通りにコンテンツの再生を制御できる。
　【０１３２】
　また、例えば、図４に示すように、利用条件４０１および再生制御情報４０３にそれずれ、発行者識別情報３０２、３０４およびＩＤ４０２、４０４が付与されている場合には、再生制御情報処理部１１７は、利用条件に付与されている発行者識別情報３０２およびＩＤ４０２と同じ発行者識別情報３０４およびＩＤ４０４を持つ再生制御情報４０３を取得する。
　【０１３３】
　これにより、再生制御情報の発行者が複数の再生制御情報を発行したとしても、ＩＤ４０２、４０４を用いることにより、発行者が発行した再生制御情報のどれを使用すればよいか判断することができる。
　【０１３４】
　そして、再生制御情報処理部１１７は、コンテンツ復号部１１５に再生制御情報によるコンテンツ再生の制御準備の完了通知を返す（Ｓ２０８）。
　【０１３５】
　次に、コンテンツ復号部１１５は、再生制御情報に対応する暗号化コンテンツをコンテンツ記録部１１２から取得する（Ｓ２０９）。そして、コンテンツ復号部１１５は、Ｋｃにて暗号化コンテンツを復号化し再生する（Ｓ２１０）。
　【０１３６】
　以上の処理のフローにより、端末１１０は、再生制御情報に基づくコンテンツの再生を開始する。」
　　
《ＣＭ区間中にスキップ操作が行われた場合についての処理》
「【０１３７】
　次に、図１のコンテンツ再生制御システムにおいて、端末１１０が、図６、図７に示す再生制御情報に基づいた再生を行っている状態で、ＣＭ区間中にスキップ操作が行われた場合についての処理フローを図１０に示す処理フローを参照して説明する。
　【０１３８】
　ＣＭ区間再生中に、操作部１１８は、ユーザからスキップ要求を受けると（Ｓ３０１）、コンテンツ復号部１１５にスキップ要求を渡す（Ｓ３０２）。
　【０１３９】
　これに対して、コンテンツ復号部１１５は、再生制御情報処理部１１７にスキップの可否チェックを要求する（Ｓ３０３）。
　【０１４０】
　これに対して、再生制御情報処理部１１７は、再生制御情報を参照して、再生中のセグメントはスキップ禁止であることを認識し、スキップ不可であることをコンテンツ復号部１１５に返す（Ｓ３０４）。
　【０１４１】
　具体的には、再生制御情報処理部１１７は、図７に示す再生制御情報６０の制限情報６１２を参照する。次に、再生制御情報処理部１１７は、制限情報６１２のＩＤ６１３を参照し、制限対象のセグメントを認識する。この場合は、ＩＤ６１３には、ＣＭに関するセグメント６００ｂのＩＤ６０３ｂが記述されているので、再生制御情報処理部１１７は、ＣＭに関するセグメント６００ｂが再生の制限対象であると認識する。
　【０１４２】
　次に、再生制御情報処理部１１７は、制限（制御）方法６１４ａ〜６１４ｃを参照し、具体的に、ＣＭに関するセグメント６００ｂにどのような制限が設定されているか認識する。この場合、制限方法６１４ａ〜６１４ｃには、「早送り」、「スキップ」、「ジャンプ」が不可になっているので、再生制御情報処理部１１７は、ＣＭに関するセグメント６００ｂが「スキップ」不可であることを認識する。そして、再生制御情報処理部１１７は、スキップ不可である旨をコンテンツ復号部１１５に返す。
　【０１４３】
　これに対して、コンテンツ復号部１１５は、Ｓ３０４にてスキップ不可であることを取得したため、Ｓ３０２のスキップ要求には応じずそのまま現在行っている再生方法でコンテンツの再生を続行する（Ｓ３０５）。
　【０１４４】
　また、この際、既に再生制御情報において禁止されている再生方法、例えばスキップ、早送り中である場合は、コンテンツ復号部１１５は、再生制御情報において許可されている再生方法に戻す処理をする。なお、再生制御情報において、制御の対象となっているセグメントを飛ばすジャンプ処理、スキップ処理がなされたときにも、コンテンツ復号部１１５は、この処理を中止する。
　【０１４５】
　なお、コンテンツ復号部１１５は、Ｓ３０４でスキップ不可を取得した場合、「スキップ不可」である旨を出力端末１３０に送り、ユーザにその操作が禁止であることを通知しても良い。
　【０１４６】
　なお、コンテンツ復号部１１５は、スキップ要求を受けた際に、スキップの可否を再生制御情報処理部１１７に操作要求がある毎に問い合わせることなく、再生要求時に再生制御情報処理部から再生制御情報を取得し、コンテンツ復号部１１５内で判断するようにしても良い。
　【０１４７】
　以上のように、端末１１０は、再生制御情報を用いてコンテンツの再生を行うことにより、再生制御情報に記載された制限方法において禁止された再生方法を受け付けないようにできる。つまり、再生制御情報の発行者（放送事業者）の意図した再生を端末１１０に遵守させることができる。
　【０１４８】
　なお、本処理フローでは、スキップのみを例としているが、図６、図７の再生制御情報６０に記載されている他の操作（早送り、ジャンプ）についても同様の処理となる。本処理フローにより、再生制御情報に基づいた再生を端末に遵守させることができる。
　【０１４９】
　以上説明したように、実施の形態１によれば、コンテンツの特定区間の再生方法（形態）に関する制限方法を記載した再生制御情報に基づいてコンテンツの再生を行うので、コンテンツの特定区間の再生方法に関する制御を可能にすることができる。」
　　
「
」
「
」
　　
第４　対比
１　刊行物１に記載された発明
　刊行物１に記載されている技術は、
「従来のデジタルコンテンツ配信システムとしては、ＤＲＭ（Ｄｉｇｉｔａｌ　Ｒｉｇｈｔｓ　Ｍａｎａｇｅｍｅｎｔ）技術を利用したものがあ」り、「配信コンテンツに対して、再生回数、移動、複製などの利用制限を設定することができ」（段落【０００２】）、
「また、従来のデジタルコンテンツ配信システムとしては、ＴＶ−Ａｎｙｔｉｍｅ　ｆｏｒｕｍで規定されたメタデータを用いたものがあ」り、「セグメンテーションメタデータにより、コンテンツの特定区間の内容（例えば、ＣＭ、野球の一回表、サッカーの前半戦など）を記述するものであ」り（段落【０００３】）、
「近年、ＰＶＲ（Ｐｅｒｓｏｎａｌ　Ｖｉｄｅｏ　Ｒｅｃｏｒｄｅｒ）に搭載されているＨＤＤの大容量化と自動録画機能により、見たい番組を自動的に録画して視聴することが可能とな」り、「ＣＭを飛ばして視聴される場合が多く、現状のリアルタイム放送におけるＣＭビジネスモデルが成り立たなくなりつつあ」り（段落【０００４】）、
「また、ＩＰ網を経由してダウンロードするコンテンツに放送のようなＣＭビジネスモデルを適用したくとも、再生プレーヤーで自由に特殊再生が行われてしまうため、実現が難し」く、ＣＭ「区間に対してだけ特殊再生等を制限する仕組みがない」（段落【０００５】）という背景のもと、
「コンテンツの特定区間毎の再生形態を制限することを可能にすることを目的とする」（段落【０００７】）ものである。
　　
　刊行物１に記載されている技術においては、
「端末１１０は、放送網やＩＰ網の伝送路１２０を通じて、サーバ１００から、暗号化コンテンツ、ライセンス情報、再生制御情報を受信し、ライセンス情報の利用条件にて再生制御情報による再生が許可されている場合、再生制御情報に基づいてコンテンツを再生する装置であ」って（段落【００６４】）、
「端末１１０は、通信部１１１において、ライセンス情報を受信し、ライセンス情報記録部１１３に送」り、「ライセンス情報記録部１１３は、通信部１１１を通じて取得したライセンス情報を記録媒体に記録」し（段落【０１１３】）、
「端末１１０は、通信部１１１において、暗号化コンテンツを受信し、コンテンツ記録部１１２に送」り、「コンテンツ記録部１１２は、通信部１１１を通じて取得した暗号化コンテンツを暗号化したまま記録媒体に記録」し（段落【０１１６】）、
「端末１１０は、通信部１１１において、再生制御情報を受信し、再生制御情報記録部１１４に送」り、「再生制御情報記録部１１４は、通信部１１１を通じて取得した再生制御情報を記録媒体に記録」し（段落【０１１９】）、
　ここで、「ライセンス情報２００は、コンテンツ暗号化部１０１が暗号化コンテンツ２０３を生成する際に用いたコンテンツ鍵２０１と、利用条件２０２から構成され」（段落【００７９】）、
「利用条件２０２には、従来のＤＲＭで設定可能な再生回数、移動、複製などの利用制限条件などの他に、再生制御情報生成部１０３が生成した再生制御情報２０４に基づく再生のみを許可する旨の情報が追加され」（段落【００８０】）、
「これにより、端末１１０において、利用条件２０２を用いて、再生制御情報２０４に基づく再生が可能とな」り（段落【００８１】）、
「再生制御情報６０には、複数のセグメント６００ａ〜６００ｃと、これらのセグメント６００ａ〜６００ｃの再生に関する順序や再生の制限情報が記述され」（段落【０１０７】）、
「ユーザが操作部１１８にコンテンツの再生を要求すると、」「操作部１１８は、コンテンツ復号部１１５に、コンテンツ再生を要求」し（段落【０１２４】）、
「コンテンツ復号部１１５は、ライセンス情報処理部１１６にコンテンツに対応するライセンス情報（Ｋｃと利用条件）を要求」し（段落【０１２５】、「Ｋｃ」は、「コンテンツ鍵」（段落【０１１１】））、
「ライセンス情報処理部１１６は、ライセンス情報記録部１１３からコンテンツに対応するライセンス情報を取得」し（段落【０１２６】）、
「ライセンス情報処理部１１６は、コンテンツ復号部１１５にライセンス情報を返」し、『ここでライセンス情報処理部１１６が出力するライセンス情報に含まれる利用条件には、「暗号化コンテンツは、再生制御情報に基づく再生のみを許可する」ことが記載されて』おり（段落【０１２７】）、
「コンテンツ復号部１１５は、ライセンス情報を取得」し、「コンテンツ復号部１１５は、取得したライセンス情報の利用条件に、「暗号化コンテンツは、再生制御情報に基づく再生のみを許可する」が記載されているので、再生制御情報処理部１１７に再生制御情報処理を要求」し（段落【０１２８】）、
「再生制御情報処理部１１７は、再生制御情報記録部１１４からコンテンツに対応する再生制御情報を取得」し（段落【０１２９】）、
「再生制御情報処理部１１７は、コンテンツ復号部１１５に再生制御情報によるコンテンツ再生の制御準備の完了通知を返」し（段落【０１３４】）、
「コンテンツ復号部１１５は、再生制御情報に対応する暗号化コンテンツをコンテンツ記録部１１２から取得」し、「コンテンツ復号部１１５は、Ｋｃにて暗号化コンテンツを復号化し再生」（段落【０１３５】）し、
「ＣＭ区間再生中に、操作部１１８は、ユーザからスキップ要求を受けると」、「コンテンツ復号部１１５にスキップ要求を渡」し（段落【０１３８】）、
「コンテンツ復号部１１５は、再生制御情報処理部１１７にスキップの可否チェックを要求」し（段落【０１３９】）、
「再生制御情報処理部１１７は、再生制御情報を参照して、再生中のセグメントはスキップ禁止であることを認識し、スキップ不可であることをコンテンツ復号部１１５に返」し（段落【０１４０】）、
「コンテンツ復号部１１５は、・・・スキップ不可であることを取得したため、・・・スキップ要求には応じずそのまま現在行っている再生方法でコンテンツの再生を続行する」（段落【０１４３】）。
　　
　刊行物１に記載された技術は、「コンテンツ復号部１１５は、スキップ要求を受けた際に、スキップの可否を再生制御情報処理部１１７に操作要求がある毎に問い合わせることなく、再生要求時に再生制御情報処理部から再生制御情報を取得し、コンテンツ復号部１１５内で判断するようにしても良い」（段落【０１４６】）ものであるから、「コンテンツ復号部１１５は、スキップ要求を受けた際に、」「再生要求時に再生制御情報処理部から再生制御情報を取得し、コンテンツ復号部１１５内で判断する」技術が記載されている。ここで、「スキップ要求」は、「再生要求時」より後でなされるから、「コンテンツ復号部１１５は、再生要求時に再生制御情報処理部から再生制御情報を取得し、スキップ要求を受けた際に、コンテンツ復号部１１５内で判断する」技術が記載されている。
　「再生要求時に再生制御情報処理部から再生制御情報を取得し、コンテンツ復号部１１５内で判断する」ものは、コンテンツ復号部に再生制御情報があるから、「ＣＭ区間再生中に、操作部１１８は、ユーザからスキップ要求を受けると」、「コンテンツ復号部１１５にスキップ要求を渡」し、コンテンツ復号部は、コンテンツ復号部内に取得した再生制御情報を参照して、再生中のセグメントはスキップ禁止であることを認識し、スキップ要求には応じずそのまま現在行っている再生方法でコンテンツの再生を続行するものである。
　　
　以上より、刊行物１に記載されている技術は、方法の発明として認定でき、その方法（以下「刊行物１発明」という。）は、次のとおりである。
　　
「端末は、放送網やＩＰ網の伝送路を通じて、サーバから、暗号化コンテンツ、ライセンス情報、再生制御情報を受信し、ライセンス情報の利用条件にて再生制御情報による再生が許可されている場合、再生制御情報に基づいてコンテンツを再生する装置であって、
　端末は、通信部において、ライセンス情報を受信し、ライセンス情報記録部に送り、ライセンス情報記録部は、通信部を通じて取得したライセンス情報を記録媒体に記録し、
　端末は、通信部において、暗号化コンテンツを受信し、コンテンツ記録部に送り、コンテンツ記録部は、通信部を通じて取得した暗号化コンテンツを暗号化したまま記録媒体に記録し、
　端末は、通信部において、再生制御情報を受信し、再生制御情報記録部に送り、再生制御情報記録部は、通信部を通じて取得した再生制御情報を記録媒体に記録し、
　ここで、ライセンス情報は、コンテンツ暗号化部が暗号化コンテンツを生成する際に用いたコンテンツ鍵と、利用条件から構成され、
　利用条件には、従来のＤＲＭで設定可能な再生回数、移動、複製などの利用制限条件などの他に、再生制御情報生成部が生成した再生制御情報に基づく再生のみを許可する旨の情報が追加され、
　これにより、端末において、利用条件を用いて、再生制御情報に基づく再生が可能となり、
　再生制御情報には、複数のセグメントと、これらのセグメントの再生に関する順序や再生の制限情報が記述され、
　ユーザが操作部にコンテンツの再生を要求すると、操作部は、コンテンツ復号部に、コンテンツ再生を要求し、
　コンテンツ復号部は、ライセンス情報処理部にコンテンツに対応するライセンス情報（コンテンツ鍵と利用条件）を要求し、
　ライセンス情報処理部は、ライセンス情報記録部からコンテンツに対応するライセンス情報を取得し、
　ライセンス情報処理部は、コンテンツ復号部にライセンス情報を返し、ここでライセンス情報処理部が出力するライセンス情報に含まれる利用条件には、「暗号化コンテンツは、再生制御情報に基づく再生のみを許可する」ことが記載されており、
　コンテンツ復号部は、ライセンス情報を取得し、コンテンツ復号部は、取得したライセンス情報の利用条件に、「暗号化コンテンツは、再生制御情報に基づく再生のみを許可する」が記載されているので、再生制御情報処理部に再生制御情報処理を要求し、
　再生制御情報処理部は、再生制御情報記録部からコンテンツに対応する再生制御情報を取得し、
　コンテンツ復号部は、再生制御情報処理部から再生制御情報を取得し、
　コンテンツ復号部は、再生制御情報に対応する暗号化コンテンツをコンテンツ記録部から取得し、コンテンツ復号部は、コンテンツ鍵にて暗号化コンテンツを復号化し再生し、
　ＣＭ区間再生中に、操作部は、ユーザからスキップ要求を受けると、コンテンツ復号部は、コンテンツ復号部内に取得した再生制御情報を参照して、再生中のセグメントはスキップ禁止であることを認識し、スキップ要求には応じずそのまま現在行っている再生方法でコンテンツの再生を続行する
　コンテンツの再生方法。」
　　
２　対比
　本願発明と刊行物１発明とを対比する。
　　
（１）「マルチメディアコンテンツを消費する方法」
　　
　本願発明における「マルチメディアコンテンツ」は、本願明細書の「背景技術」に
『【０００２】
　放送及びストリーミング環境におけるマルチメディアデータは、衛星、地上波、ケーブル、インターネットなどを介して伝送される。ユーザは、伝送されたリソースを、自身のデバイスで再生し、またはコピーすることができる。保存されたリソースを変更すること、あるいは、他のデバイスにエクスポートし、またはコピーすることができる。本明細書では、このようにマルチメディアコンテンツが利用される様々な形態を「消費（Ｃｏｎｓｕｍｐｔｉｏｎ）」と表現する。
　【０００３】
　一方、かかる環境において、マルチメディアコンテンツに対する回避およびアクセスは、制約される必要がある。第１に、マルチメディアコンテンツが広告を含む場合、収益率は、広告を回避する可能性に従って異なることがある。したがって、ユーザが広告部分をスキップできないようにする必要がある。第２に、現在オンエア中のリソースに対する許容可能な同時アクセスの範囲を制限する必要がある。
　【０００４】
　しかし、従来のマルチメディアコンテンツの消費装置（ｃｏｎｓｕｍｉｎｇ　ａｐｐａｒａｔｕｓ）は、マルチメディアコンテンツを再生または保存するときに、ユーザが、部分回避を介して広告部分をスキップすることがある問題がある。また、従来のコンテンツ消費装置は、マルチメディアコンテンツに対する同時アクセスの回数を制御する手段を有していない。』
と記載されているように、「放送及びストリーミング環境におけるマルチメディアデータは、衛星、地上波、ケーブル、インターネットなどを介して伝送される」ものであって、このように伝送された「コンテンツ」を意味すると認められる。
　一方、刊行物１発明は、「放送網やＩＰ網の伝送路を通じて、サーバから、暗号化コンテンツ、ライセンス情報、再生制御情報を受信」するから、刊行物１発明における「コンテンツ」は、「放送網やＩＰ網の伝送路を通じて」「受信」されるものであり、「マルチメディアコンテンツ」といえる。
　そして、本願発明においては、「本明細書では、このようにマルチメディアコンテンツが利用される様々な形態を「消費（Ｃｏｎｓｕｍｐｔｉｏｎ）」と表現する」（段落【０００２】）のであるから、コンテンツを再生することは、「消費する」といえる。
　以上より、「コンテンツの再生法」である刊行物１発明は、「マルチメディアコンテンツを消費する方法」といえる。
　　
（２）「ａ）マルチメディアコンテンツと、前記マルチメディアコンテンツに対する部分回避を禁止する条件を表示するライセンスデータとを、有線または無線通信ネットワークを介して受信するステップ」
　　
　刊行物１発明は、「放送網やＩＰ網の伝送路を通じて、サーバから、暗号化コンテンツ、ライセンス情報、再生制御情報を受信」するものである。
　刊行物１発明における「コンテンツ」が「マルチメディアコンテンツ」といえることは、上記（１）のとおりである。
　刊行物１発明における「ライセンス情報」は、
「ライセンス情報は、コンテンツ暗号化部が暗号化コンテンツを生成する際に用いたコンテンツ鍵と、利用条件から構成され」るから、「前記マルチメディアコンテンツに対する」ものであり、
「利用条件には、従来のＤＲＭで設定可能な再生回数、移動、複製などの利用制限条件などの他に、再生制御情報生成部が生成した再生制御情報に基づく再生のみを許可する旨の情報が追加され、
　これにより、端末において、利用条件を用いて、再生制御情報に基づく再生が可能となり、
　再生制御情報には、複数のセグメントと、これらのセグメントの再生に関する順序や再生の制限情報が記述され」るものであり、
　刊行物１発明は、「ＣＭ区間再生中に、操作部は、ユーザからスキップ要求を受けると、コンテンツ復号部は、再生制御情報を参照して、再生中のセグメントはスキップ禁止であることを認識」するから、「再生制御情報」には、「ＣＭ区間」の「スキップ禁止」であることが認識できるデータがあると理解できる。「ＣＭ区間」は、「コンテンツに対する部分」であり、『「ＣＭ区間」の「スキップ禁止」であることが認識できるデータ』は、「前記マルチメディアコンテンツに対する部分回避を禁止する条件を」表すデータといえる。
　本願発明の「前記マルチメディアコンテンツに対する部分回避を禁止する条件を表示するライセンスデータ」における「表示する」の文言は、技術的にみて、実際に「表示する」ものとは理解できず、「表す」という意味とすることが自然であり、本願明細書の段落【０００５】には、「マルチメディアコンテンツに対するアクセスまたは回避に関する条件を表すライセンスデータ」と記載され、段落【０００８】には、「前記マルチメディアコンテンツに対する部分回避を禁止する条件を表すライセンスデータ」と記載されていることからみても、「表す」ことを意味しているものと認められる。
　そうすると、刊行物１発明の上記『「ＣＭ区間」の「スキップ禁止」であることが認識できるデータ』は、「前記マルチメディアコンテンツに対する部分回避を禁止する条件を表示するデータ」といえる。
　また、刊行物１発明は、「放送網やＩＰ網の伝送路を通じて、サーバから、暗号化コンテンツ、ライセンス情報、再生制御情報を受信」するものであるから、 「有線または無線通信ネットワークを介して受信する」ものといえる。
　以上より、刊行物１発明は、「マルチメディアコンテンツと、前記マルチメディアコンテンツに対するライセンスデータと、前記マルチメディアコンテンツに対する部分回避を禁止する条件を表示するデータとを、有線または無線通信ネットワークを介して受信するステップ」を含むといえる。
　しかしながら、
「前記マルチメディアコンテンツに対するライセンスデータと、前記マルチメディアコンテンツに対する部分回避を禁止する条件を表示するデータと」が、
　本願発明においては、「前記マルチメディアコンテンツに対する部分回避を禁止する条件を表示するライセンスデータ」であるのに対し、
　刊行物１発明は、「前記マルチメディアコンテンツに対するライセンスデータ」と「前記マルチメディアコンテンツに対する部分回避を禁止する条件を表示するデータ」とが別々のデータである点で相違する。
　　
（３）「ｂ）前記マルチメディアコンテンツに対するライセンス条件を解析し、部分回避を制御するための制御信号を生成するステップ」
　「ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップ」
　　
　刊行物１発明は、『コンテンツ復号部は、ライセンス情報を取得し、コンテンツ復号部は、取得したライセンス情報の利用条件に、「暗号化コンテンツは、再生制御情報に基づく再生のみを許可する」が記載されているので、再生制御情報処理部に再生制御情報処理を要求』するものであり、コンテンツ復号部は、『取得したライセンス情報の利用条件に、「暗号化コンテンツは、再生制御情報に基づく再生のみを許可する」が記載されている』ことを「ライセンス情報の利用条件」から得ていることが理解でき、このことは、「ライセンス情報の利用条件」を解析しているといえ、「ライセンス情報の利用条件」は、コンテンツに対するものであるから、刊行物１発明は、「前記マルチメディアコンテンツに対するライセンス条件を解析」するものといえる。
　刊行物１発明は、さらに「再生制御情報処理部に再生制御情報処理を要求」し、この要求により、
「再生制御情報処理部は、再生制御情報記録部からコンテンツに対応する再生制御情報を取得し、
　コンテンツ復号部は、再生制御情報処理部から再生制御情報を取得し、
　コンテンツ復号部は、再生制御情報に対応する暗号化コンテンツをコンテンツ記録部から取得し、コンテンツ復号部は、コンテンツ鍵にて暗号化コンテンツを復号化し再生し、
　ＣＭ区間再生中に、操作部は、ユーザからスキップ要求を受けると、コンテンツ復号部は、コンテンツ復号部内に取得した再生制御情報を参照して、再生中のセグメントはスキップ禁止であることを認識し、スキップ要求には応じずそのまま現在行っている再生方法でコンテンツの再生を続行する」
という動作をするから、この要求は、「制御信号」といえ、刊行物１発明は、「前記マルチメディアコンテンツに対するライセンス条件を解析し、制御信号を生成するステップ」を含むといえる。
　また、上記「要求」、すなわち「制御信号」により、
「再生制御情報処理部は、再生制御情報記録部からコンテンツに対応する再生制御情報を取得し、
　コンテンツ復号部は、再生制御情報処理部から再生制御情報を取得し、
　コンテンツ復号部は、再生制御情報に対応する暗号化コンテンツをコンテンツ記録部から取得し、コンテンツ復号部は、コンテンツ鍵にて暗号化コンテンツを復号化し再生し、
　ＣＭ区間再生中に、操作部は、ユーザからスキップ要求を受けると、コンテンツ復号部は、コンテンツ復号部内に取得した再生制御情報を参照して、再生中のセグメントはスキップ禁止であることを認識し、スキップ要求には応じずそのまま現在行っている再生方法でコンテンツの再生を続行する」
という動作をするのであるから、このような動作をするように制御機能が再生制御情報を取得することで設定され、この設定によって制御されているといえる。
　ＣＭ区間再生中にスキップ禁止とする制御は、「マルチメディアコンテンツの所定の部分に対する回避を制御する」ことといえ、このように制御機能を設定することは、「マルチメディアコンテンツの所定の部分に対する回避を制御する制御機能を設定」することといえる。
　この設定は、「制御信号」により行われるから、「制御信号」に従っているといえる。
　　
　以上より、刊行物１発明は、
「ｂ）前記マルチメディアコンテンツに対する情報を解析し、制御信号を生成するステップ、
　ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップ」
を含むといえる。
　　
　本願発明の「制御信号」は、「部分回避を制御するための」ものであり、この「制御信号」に従って「前記マルチメディアコンテンツの所定の部分に対する回避を制御する制御機能を設定」するものであり、制御機能を設定するための「制御信号」といえる。この設定によって「前記マルチメディアコンテンツの所定の部分に対する回避を制御する」ものであるから、本願発明の「制御信号」は、「部分回避を制御する」ものである。このことは、本願明細書の段落【００２２】の「マルチメディアコンテンツ１０２に対するライセンス条件をライセンスデータ１０４から解析し、部分回避・・・を制御する制御信号を生成する。」の記載からも理解できる。そうすると、「部分回避を制御するための制御信号」は、「前記マルチメディアコンテンツの所定の部分に対する回避を制御する制御機能を設定」するものであり、「前記マルチメディアコンテンツの所定の部分に対する回避を制御する」ものである。
　
　一方、刊行物１発明は、上記のとおり、
「ｂ）前記マルチメディアコンテンツに対する情報を解析し、制御信号を生成するステップ、
　ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップ」
を含むといえるものであり、「制御信号」は、「前記マルチメディアコンテンツの所定の部分に対する回避を制御する制御機能を設定」するものであり、「前記設定によって前記マルチメディアコンテンツの所定の部分に対する回避を制御する」ものであるから、「部分回避を制御するための制御信号」といえる。
　　
　したがって、刊行物１発明は、
「ｂ）前記マルチメディアコンテンツに対する情報を解析し、部分回避を制御するための制御信号を生成するステップ、
　ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップ」
を含む点で、本願発明と一致する。
　　
３　一致点、相違点
　以上より、本願発明と刊行物１発明との一致点、相違点は、次のとおりである。
　　
（一致点）
　マルチメディアコンテンツを消費する方法であって、
　ａ）マルチメディアコンテンツと、前記マルチメディアコンテンツに対するライセンスデータと、前記マルチメディアコンテンツに対する部分回避を禁止する条件を表示するデータとを、有線または無線通信ネットワークを介して受信するステップと、
　ｂ）前記マルチメディアコンテンツに対する情報を解析し、部分回避を制御するための制御信号を生成するステップと、
　ｃ）生成された前記制御信号に従って前記マルチメディアコンテンツの所定の部分に対する回避を制御する制御機能を設定し、前記設定によって前記マルチメディアコンテンツの所定の部分に対する回避を制御するステップと
　を含むことを特徴とする方法。
　　
（相違点）
　「マルチメディアコンテンツと、前記マルチメディアコンテンツに対するライセンスデータと、前記マルチメディアコンテンツに対する部分回避を禁止する条件を表示するデータとを、有線または無線通信ネットワークを介して受信するステップ」における「前記マルチメディアコンテンツに対するライセンスデータと、前記マルチメディアコンテンツに対する部分回避を禁止する条件を表示するデータと」が、
　本願発明においては、「前記マルチメディアコンテンツに対する部分回避を禁止する条件を表示するライセンスデータ」であるのに対し、
　刊行物１発明は、「前記マルチメディアコンテンツに対するライセンスデータ」と「前記マルチメディアコンテンツに対する部分回避を禁止する条件を表示するデータ」とが別々のデータである点
　　
第５　判断
　刊行物１発明は、「暗号化コンテンツ、ライセンス情報、再生制御情報を受信し、ライセンス情報の利用条件にて再生制御情報による再生が許可されている場合、再生制御情報に基づいてコンテンツを再生する」ものであって、再生制御情報は、利用条件によってライセンス情報と関連づけられているものである。関連づけられている情報を別々に送信し、受信することや、１つの情報として送信して、受信するようにすることは、情報の送受信の仕方として、普通のことであるから、引用発明においてライセンス情報と再生制御情報を１つの情報とすることは、当業者が容易に着想することである。
　ライセンス情報と再生制御情報を１つの情報としたものは、ライセンス情報を含むから、「ライセンスデータ」といえ、この「ライセンスデータ」には、「再生制御情報」が含まれ、この「再生制御情報」に「前記マルチメディアコンテンツに対する部分回避を禁止する条件を表示するデータ」があることになるから、ライセンス情報と再生制御情報を１つの情報としたものは、「前記マルチメディアコンテンツに対する部分回避を禁止する条件を表示するライセンスデータ」となる。
　刊行物１発明は、ライセンス情報と再生制御情報とを別々に受信するものであり、コンテンツ復号部が再生制御情報処理部から再生制御情報を取得するものであるが、上記のとおり、ライセンス情報と再生制御情報を１つの情報とすることは、当業者が容易に着想することであり、このことにより、コンテンツ復号部はライセンス情報と再生制御情報を１つの情報として取得することになり、コンテンツ復号部には、ライセンス情報と再生制御情報が存在することになる。
　このようにライセンス情報と再生制御情報を１つの情報にした場合においても、コンテンツ復号部は、１つの情報のうちのライセンス情報から、「再生制御情報に基づく再生のみを許可する」が記載されていることを解析して得て、１つの情報から「再生制御情報」を取得するための要求がされることになる。この要求は、上記のとおり「制御信号」といえ、この制御信号に従って制御機能が再生制御情報を取得することで設定され、前記設定によって制御することになる。
　以上より、刊行物１発明において、「ライセンスデータ」を 「前記マルチメディアコンテンツに対する部分回避を禁止する条件を表示する」ライセンスデータとし、「前記マルチメディアコンテンツに対するライセンス条件を解析」するようにすることは、当業者が容易に想到し得ることである。
　　
　そして、本願発明が奏する効果は、その容易想到である構成から当業者が容易に予測し得る範囲内のものであり、同範囲を超える顕著なものでもない。
　　
第６　むすび
　以上のとおり、本願の請求項１０に係る発明は、刊行物１に記載された発明に基づいて当業者が容易に発明をすることができたものであるから、特許法２９条２項の規定により特許を受けることができない。 
　　
　したがって、本願は、他の請求項について検討するまでもなく、拒絶すべきものである。　　
　よって、結論のとおり審決する。